(57)【特許請求の範囲】
【請求項１】
架線を地面から人の背丈ほどの高さに架設するための多数の支柱を備え、
前記支柱は、下端側が地中に打ち込まれる鉛直姿勢の杭と、該杭の上端に設けられた複数の連結穴とシャフトの連結穴との位置合わせで昇降可能に取り付けられる該シャフトと、該シャフトに螺合により取り付けられる連結具と、該連結具に固定される腕金と、該腕金に架線を固定するクランパとを備え、
前記シャフトは、下端側に筒状部、上端に軸部がそれぞれ設けられ、前記杭の上端が前記筒状部内に挿入され、または別のシャフトを継足し用のシャフトとして接続するために、該継足し用のシャフトの軸部が前記筒状部内に挿入され、軸部が筒状部内に挿入された状態で、ピンを挿通するための連結穴が筒状部と軸部とに連通するように形成されていることを特徴とする架線保持ユニット。
【請求項２】
架線を地面から人の背丈ほどの高さに架設するための多数の支柱を備え、
前記支柱は、下端側が地中に打ち込まれる鉛直姿勢の杭と、該杭の上端に設けられた複数の連結穴とシャフトの連結穴との位置合わせで昇降可能に取り付けられる該シャフトと、該シャフトに螺合により取り付けられる連結具と、該連結具に固定される腕金と、該腕金に架線を固定するクランパとを備え、
前記シャフトは、下端側に筒状部、上端に軸部がそれぞれ設けられ、前記杭の上端が前記筒状部内に挿入され、または別のシャフトを継足し用のシャフトとして接続するために、該継足し用のシャフトの軸部が前記筒状部内に挿入され、軸部が筒状部内に挿入された状態で、ピンを挿通するための連結穴が筒状部と軸部とに連通するように形成され、
前記支柱は、前記シャフトの少なくとも中間部に雄ネジが軸方向に沿って形成され、前記連結具に雌ネジが形成され、両ネジが螺合することにより、前記シャフトに連結具が取り付けられることを特徴とする架線保持ユニット。
【請求項３】
前記支柱は、下端側が地中に打ち込まれ、上端が前記シャフトに取り付けられる傾斜姿勢のステーを備えていることを特徴とする請求項１または２に記載の架線保持ユニット。
【請求項４】
前記ステーは、複数のパーツが直列に連結されたものであることを特徴とする請求項３に記載の架線保持ユニット。
【請求項５】
前記支柱は、前記シャフトの下端側に前記杭を外嵌する筒状部が設けられ、該筒状部に少なくとも１個の連結穴が形成され、杭の連結穴とシャフトの連結穴にピンが挿通されることにより、前記杭にシャフトが取り付けられることを特徴とする請求項１から４のいずれか一つに記載の架線保持ユニット。
【請求項６】
前記支柱は、前記連結具に固定穴が形成され、前記腕金に該固定穴とも連通する複数の長穴が形成され、前記固定穴と長穴とが締結具によって締結されていることを特徴とする請求項１から５のいずれか一つに記載の架線保持ユニット。
【請求項７】
請求項１から６のいずれか一つに記載の架線保持ユニットを使用する架線の架設方法であって、
多数の支柱が直線状に並ぶように杭の下側を地中に打ち込み、隣り合っている腕金を結ぶラインが直線状となるようにシャフトの高さを調整し、シャフトに取り付けられた連結具に固定されている腕金にクランパによって架線を固定することを特徴とする架線の架設方法。
【発明の詳細な説明】
【技術分野】
【０００１】
本発明は、送電線や配電線などの電線、あるいは電話線などの通信線その他の架線を、例えば山林などに架設するための架線保持ユニットおよび架線の架設方法に関する。
【背景技術】
【０００２】
従来から送電線や配電線などの電線、あるいは電話線などの通信線その他の架線は、景観を重視する都心において、地中に埋設されることがあるものの、山村や山林などでは工期や工費などが重視されるため、一般的に電柱や鉄塔に架設されている。
【発明の開示】
【発明が解決しようとする課題】
【０００３】
しかし、山林において、架線を鉄塔や電柱に架設するには、山林に鉄骨や電柱を搬入し、これらを建設しなければならならないことから容易でない。すなわち、架線が電線であると、樹木が電線に触れて、地絡事故や短絡事故が起きないようにするため、鉄塔や電柱を建設するルートの樹木を５〜１０ｍの幅で伐採しなければならない。また、電線を架設した後においても、樹木が電線に接触するほどに伸びていると、地絡事故や短絡事故が起きるため、定期的に巡回し、伸びた枝葉を適宜、枝切りしなければならない。
【０００４】
一方、架線が通信線であると、樹木が通信線に接触しても、地絡事故や短絡事故に至ることがないため、樹木を伐採する範囲は電線を架設する場合よりも狭くてすむ。しかし、樹木が通信線に何回も接触すると、通信線が損傷するため、やはり定期的に巡回し、適宜、伸びた枝葉を枝切りしなければならない。さらに、電線にしても通信線にしても、鉄塔や電柱の頂部付近に架設されていることから、伸びた枝葉は、梯子などを使用して枝切りしなければならず、メンテナンスが面倒であるし、危険な作業となる。
【０００５】
そこで、本発明は、容易に設置することができ、しかも、簡単にメンテナンスを行うことができるようにした架線保持ユニットおよび架線の架設方法を提供することを課題とする。
【課題を解決するための手段】
【０００６】
本発明に係る第１の架線保持ユニットは、架線を地面から人の背丈ほどの高さに架設するための多数の支柱を備え、前記支柱は、下端側が地中に打ち込まれる鉛直姿勢の杭と、該杭の上端に設けられた複数の連結穴とシャフトの連結穴との位置合わせで昇降可能に取り付けられる該シャフトと、該シャフトに螺合により取り付けられる連結具と、該連結具に固定される腕金と、該腕金に架線を固定するクランパとを備え、前記シャフトは、下端側に筒状部、上端に軸部がそれぞれ設けられ、前記杭の上端が前記筒状部内に挿入され、または別のシャフトを継足し用のシャフトとして接続するために、該継足し用のシャフトの軸部が前記筒状部内に挿入され、軸部が筒状部内に挿入された状態で、ピンを挿通するための連結穴が筒状部と軸部とに連通するように形成されていることを特徴としている。
【０００８】
また、前記と異なる本発明に係る第２の架線保持ユニットは、架線を地面から人の背丈ほどの高さに架設するための多数の支柱を備え、前記支柱は、下端側が地中に打ち込まれる鉛直姿勢の杭と、該杭の上端に設けられた複数の連結穴とシャフトの連結穴との位置合わせで昇降可能に取り付けられる該シャフトと、該シャフトに螺合により取り付けられる連結具と、該連結具に固定される腕金と、該腕金に架線を固定するクランパとを備え、前記シャフトは、下端側に筒状部、上端に軸部がそれぞれ設けられ、前記杭の上端が前記筒状部内に挿入され、または別のシャフトを継足し用のシャフトとして接続するために、該継足し用のシャフトの軸部が前記筒状部内に挿入され、軸部が筒状部内に挿入された状態で、ピンを挿通するための連結穴が筒状部と軸部とに連通するように形成され、前記支柱は、前記シャフトの少なくとも中間部に雄ネジが軸方向に沿って形成され、前記連結具に雌ネジが形成され、両ネジが螺合することにより、前記シャフトに連結具が取り付けられることを特徴としている。
【０００９】
この第１および第２の架線保持ユニットによれば、多数の支柱が架線を人の背丈ほどの高さに架設することにより、架線を山林に架設する場合であっても、鉄塔や電柱などを設置するときのように樹木を５〜１０ｍの幅で伐採する必要がなく、しかも架設後においては、架線は樹木の幹のあたりに位置し、風によって枝葉が揺れても架線に接触することがないため、枝葉を枝切りする必要がない。
【００１０】
また、この架線保持ユニットは、架線が地面上を這うように架設するものではないため、架線が土砂や落ち葉などに埋もれることがなく、架線の位置を確認することができなくなるという不具合も生じない。さらに、この架線保持ユニットは、架線が地面近くに架設されるようにするものではないため、通行人が架線につまずくという不都合も生じない。
【００１１】
また、この架線保持ユニットは、多数の支柱を備え、各支柱が杭、シャフト、連結具、腕金そしてクランパに分割されることにより、コンパクト化が図られ、山林内に運搬する作業の負担を軽減することができる。
【００１２】
そして、この架線保持ユニットは、杭の下端側が地中に打ち込まれ、杭の上端にシャフトが取り付けられ、シャフトに連結具が取り付けられ、そして、連結具に腕金が固定されることによって組み立てられる（実際の組立ては、この順序に限定されない。）。このような杭は、適宜間隔を開けて設置される。そして、架線が腕金に載置され、クランパが架線を腕金に固定することにより、架線が架設される。
【００１３】
そして、この架線保持ユニットが起伏のある山林に設置される場合であっても、架線を直線状に架設することができる。すなわち、架線が地面から離隔して架設されるときは、シャフトは杭から長く突出するように取り付けられ、逆に、架線が地面に近接して架設されるときは、シャフトは杭から短く突出するように取り付けられる。このようにして、隣り合って設置された架線保持ユニットは、シャフトに取り付けられた連結具およびこの連結具に固定された腕金が、直線状に並ぶようにすることができる。
【００１４】
また、第１、第２の架線保持ユニットによれば、杭に取り付けられたシャフトに継足し用のシャフトを直列に連結することによって架線保持ユニットを高くすることができる。すなわち、杭に取り付けられたシャフトの軸が継足し用のシャフトの筒状部内に挿入され、軸に形成された連結穴と筒状に形成された連結穴が連通し、ピンが両連結穴に挿通されることによって、複数のシャフトを容易に直列に連結することができる。なお、このシャフトの筒状部に形成された連結穴は、前記杭に形成された連結穴と連通するための連結穴と同じものとしてもよい。
【００１５】
また、第２の架線保持ユニットによれば、前記シャフトの少なくとも中間部に雄ネジが形成され、前記連結具に雌ネジが形成され、両ネジが螺合することにより、連結具の鉛直方向の位置を微調整することができる。なお、連結具が徐々にでも下降しないようにするため、シャフトの雄ネジに固定ナットを螺合し、この固定ナットの上面に連結具が当接するようにしてもよい。
【００１６】
また、前記本発明に係る架線保持ユニットおいて、前記支柱は、下端側が地中に打ち込まれ、上端が前記シャフトに取り付けられる傾斜姿勢のステーを備えていることが好ましい。
【００１７】
この架線保持ユニットによれば、ステーがシャフトに取り付けられ、着脱自在とされることにより、携行性を優れたものとすることができる。そして、架線保持ユニットを堅い地盤に設置するときは、前記のようにステーを使用せず、軟らかい地盤に設置するときのみ１本または複数本のステーを使用する。ステーの下端側が地中に打込まれ、上端がシャフトに取り付けられることにより、架線保持ユニットは倒れないように安定した姿勢で設置される。
【００１８】
また、前記本発明に係る架線保持ユニットにおいて、前記ステーは、複数のパーツが直列に連結されたものであることが好ましい。
【００１９】
この架線保持ユニットによれば、前記ステーが長さ方向に分割されたパーツを連結したものとされ、架線保持ユニットを設置する状況に応じて、必要な本数のパーツを連結することにより、ステーの長さを調整することができる。
【００２０】
また、前記本発明に係る架線保持ユニットにおいて、前記支柱は、前記シャフトの下端側に前記杭を外嵌する筒状部が設けられ、該筒状部に少なくとも１個の連結穴が形成され、杭の連結穴とシャフトの連結穴にピンが挿通されることにより、前記杭にシャフトが取り付けられることが好ましい。
【００２１】
この架線保持ユニットによれば、前記杭に形成された複数の連結穴の１個と、前記シャフトに形成された１個の連結穴とが連通し、この両連結穴にピンが挿通されることにより、シャフトを杭に容易に取り付けることができる。杭に複数の連結穴が形成されていることにより、連結穴のピッチでシャフトの位置を調整することができる。なお、ピンは、鋲のような形状のもの、あるいはボルトとナットの組合せなどであり（後記のピンも同じ。）、杭とシャフトとを連結する機械要素であれば特定するものではない。
【００２２】
また、前記本発明に係る架線保持ユニットにおいて、前記支柱は、前記連結具に固定穴が形成され、前記腕金に該固定穴とも連通する複数の長穴が形成され、前記固定穴と長穴とが締結具によって締結されていることが好ましい。
【００２３】
この架線保持ユニットによれば、前記連結具に形成された固定穴と、前記腕金に形成された一対の長穴とが連通した状態とされ、この固定穴と長穴を使用して、連結具と腕金とが締結具によって締結される。腕金に長穴が形成されることにより、腕金の固定位置を水平方向にも微調整することができる。また、他の長穴にはクランパが貫通し、ケーブを固定するために使用される。なお、固定穴は、連結具に突出した状態に設けられた座部に鉛直方向に一対形成されることが好ましい。
【００２４】
また、本発明に係る架線の架設方法は、前記支柱を備えた架線保持ユニットを使用する架線の架設方法であって、多数の支柱が直線状に並ぶように杭の下側を地中に打ち込み、隣り合っている腕金を結ぶラインが直線状となるようにシャフトの高さを調整し、シャフトに取り付けられた連結具に固定されている腕金にクランパによって架線を固定することを特徴としている。
【００２５】
この架線の架設方法によれば、杭を平面視で直線状に打込むことによって、架線を直線
状に架設することができる。また、隣り合っている腕金を結ぶラインが直線状となるよう
にシャフトの高さを調整することにより、地面が起伏に富んでいても、架線は直線状に架
設される。
【００２６】
また、本発明に関連する架線保持ユニットは、架線を地面から人の背丈ほどの高さに架設するための多数の支柱を備えていることを特徴とする架線保持ユニットであって、前記支柱は、下端側が地中に埋め込まれる一対または複数の杭と、該杭に架け渡される桁部と、前記支柱に水平方向に固定される腕金とを備えている。
【００２７】
この架線保持ユニットによれば、支柱が杭、桁部そして腕金を備えていることにより、架線保持ユニットを容易に設置し、架線を架設することができる。すなわち、杭の下側を地中に埋め込むことによって、架線保持ユニットを設置することができ、腕金に架線を架け渡し、固定するだけで架線を架設することができる。しかも、一対または複数対の杭は、桁部によって安定した姿勢を維持することができるようにされている。
【００２８】
また、前記関連する架線保持ユニットおいて、前記腕金は、各支柱に複数固定されていることが好ましい。
【００２９】
この架線保持ユニットによれば、地面が起伏に富み、隣り合って設置される架線保持ユニットが直線状に並ばない場合であっても、腕金が各支柱に複数固定されることにより、架線が直線状に架設されるように架線を腕金に固定することができる。
【００３０】
また、前記関連する架線保持ユニットおいて、前記桁部と腕金とは、兼用されていてもよい。
【００３１】
この架線保持ユニットによれば、桁部と腕金とが兼用されることにより、部品点数を低減することができる。例えば杭が４本で構成され、桁部が対向するように２本の杭に平行に架け渡され、腕金が前記桁部と異なる方向に架け渡されることにより、桁部と腕金とを兼用することができる。すなわち、いずれも桁部として使用し、また、腕金として使用することができる。
【００３２】
また、本発明に関連する架線の架設方法は、前記関連する架線保持ユニットを使用する架線の架設方法であって、隣り合っている腕金を結ぶラインが直線状となるように杭の下端側を地中に埋め込み、前記腕金に架線を固定する。
【００３３】
この架線の架設方法によれば、隣り合っている腕金が地面から同じ高さとなるように杭の下端側を地中に埋め込むことにより、支柱が安定して設置され、しかも、架線を直線状に架設することができる。
【００３４】
また、本発明に関連する前記と異なる架線保持ユニットは、架線を地面から人の背丈ほどの高さに架設するための多数のブロックを備えている架線保持ユニットであって、前記ブロックは、接合面を有する半体に二分割され、該半体の接合面に架線を嵌め入れる溝部が形成されている。
【００３５】
この架線保持ユニットによれば、ブロックが接合面を有する半体に二分割され、接合面に溝部が形成されていることにより、接合面が露出するように半体が分離した状態で、溝部に架線が嵌めこまれ、そして、半体が接合するように重ね合わせることにより、架線が固定される。このような架線保持ユニットが適宜間隔で地面上に設置されることにより、架線が地面から所定の高さで架設される。
【発明の効果】
【００３６】
本発明によれば、架線保持ユニットが架線を地面から人の背丈ほどの高さに架設するための多数の支柱を備えたものとされ、架線がこの架線保持ユニットに架設されることにより、架線を架設するために樹木を広範囲に伐採する必要がないだけでなく、架線保持ユニットを山林に搬入して設置するための作業が極めて簡便となる。したがって、架線保持ユニットを設置のための工期の短縮や工費の節減を図ることができる。
【００３７】
また、この架線保持ユニットが人の背丈ほどの高さとされることにより、枝葉が伸びてきたとしても、この枝葉を枝切りする作業は容易となる。したがって、メンテナンスの労力を軽減し、その費用を節減し、そして安全性な作業とすることができる。
【発明を実施するための最良の形態】
【００３８】
本発明に係る架線保持ユニットは、図１に示すように、電線や電話線のような架線Ｑを地面から人の背丈ほど（例えば１ｍ〜２ｍ程度）の高さに架設するための多数の支柱Ｘ，Ｘ…を備えていることを特徴としている。
【００３９】
まず、支柱Ｘを備えた架線保持ユニットの一実施形態について図２ないし図７を参照しながら説明する。この支柱Ｘは、図２および図３に示すように、杭１０、シャフト２０、連結具３０、腕金４０、クランパ５０、そしてステー６０を備えている。
【００４０】
杭１０は、図３に示すように、鉛直姿勢で使用され、下端側が地中に打ち込みやすいように尖鋭に形成されている。杭１０の上端側には、複数（図面では６個であるが、これに限定するものではない。）の連結穴１１，１１…が形成されている。
【００４１】
また、シャフト２０は、図４にも示すように、下端側に前記杭１０を昇降可能に外嵌する筒状部２１が設けられ、この筒状部２１を貫通する少なくとも１個の連結穴２２が形成されている。このシャフト２０の連結穴２２と前記杭１０の最下の連結穴１１とが位置合わせされ、ピン１が挿通されると、シャフト２０は最も低い位置で杭１０に固定される。逆に、シャフト２０の連結穴２２と杭１０の最上の連結穴１１とが位置合わせされ、ピン１が挿通されると、シャフト２０は最も高い位置で杭１０に固定される。そして、杭１０には複数の連結穴１１，１１…が形成されており、任意の連結穴１１とシャフト２０の連結穴２２とを位置合わせすることにより、シャフト２０の高さをおおまかに調整することができる。
【００４２】
なお、ピン１は、鋲のような形状のもの、あるいはボルトとナットの組合せなどであり（後記のピン１も同じ。）、杭１０とシャフト２０とを連結する機械要素であれば特定するものではない。
【００４３】
そして、シャフト２０の上端には、継足し用のシャフト２０を連結するための軸部２３が設けられている。この軸部２３は、外径がシャフト２０の筒状部２１の内径とほぼ同一（同一またはわずかに小さく）され、連結穴２４が形成されている。また、少なくともシャフト２０の中間部には、雄ネジ２５が形成されている。この雄ネジ２５には、図２に示すように固定ナット２６が螺合される。
【００４４】
そして、連結具３０は、図５に示すように、シャフト２０の雄ネジ２５と螺合する雌ネジ３１を形成した筒状の本体部３２と、この本体部３２の側面に突設した板状の座部３３とを有し、この座部３３には一対の固定穴３４，３４が形成されている。このような連結具３０は、雌ネジ３１が前記シャフト２０の雄ネジ２５に螺合し、図２に示すように、固定ナット２６に当接した状態でシャフト２０に取り付けられる。連結具３０は、固定ナット２６の上面に当接することによって下方に移動せず、所定の位置を維持する。
【００４５】
また、座部３３は、図５に示すように、本体部３２の径方向、すなわち、側面と直角方向に突設され、固定穴３４は、本体部３２の軸と平行に座部３３に形成されている。なお、座部３３は、斜め向きに方向を変えて、または変えられるように本体部３２に設けても
よい。
【００４６】
そして、腕金４０は、この連結具３０の座部３３に固定される。腕金４０には、図５に示すように、複数（図面では６個であるが、これに限定するものではない。）の長穴４１，４１…が形成されている。各長穴４１，４１…の大きさは、同じで、各長穴４１，４１…のピッチは前記座部３３の一対の固定穴３４，３４の間隔と同じとされている。
【００４７】
そして、座部３３と腕金４０とは、図２に示すように固定穴３４と長穴４１，４１…とに連通するボルト２ａとナット２ｂのような締結具２によって固定される。長穴４１，４１…が複数形成されていることにより、任意の長穴４１，４１を選択し、腕金４０を座部３３に取り付ける位置を変更することができる。また、腕金４０の水平方向の取付け位置は、長穴４１，４１によって微調整することができる。
【００４８】
そして、クランパ５０は、図３に示すように、電線Ｑを外嵌する導管Ｐを挟むＵ字型金物であり、両端部にネジ部が形成されている。このネジ部にナット５１が螺合することにより、導管Ｐが腕金４０に固定される。ただし、クランパ５０は、Ｕ字型金物に限定するものではなく、バンドなどであってもよい。いずれにしても、一対の長穴４１，４１…は、座部３３に固定するために使用され、残りの二対の長穴４１，４１…は、クランパ５０が通され、導管Ｐを固定するために使用される。なお、電線Ｑの被覆状態などにより、クランパ５０は、導管Ｐを使用せず、電線Ｑを直接固定する場合があるが、以下、導管Ｐを使用するとして説明する。
【００４９】
そして、ステー６０は、シャフト２０に着脱できるように取り付けられ、図３に示すように、傾斜姿勢で上端が前記シャフト２０に取り付けられるように連結穴６１が形成され、下端側が地中に打ち込まれやすいように尖鋭に形成されている。この連結穴６１と連通する連結穴２７を形成した突片２８が前記シャフト２０に設けられている。この突片２８，２８は、図４に示すように、放射状に複数（図面では４方向であるが、これに限定するものではない。）設けられている。そして、両連結穴６１，２７にピン１が挿通されることにより、ステー６０がシャフト２０に任意の角度の傾斜姿勢をとることができるように取り付けられる。
【００５０】
また、ステー６０は、長さ方向に分割された複数（図面では３本であるが、これに限定するものではない。）のパーツ６２ａ，６２ｂ，６２ｃが連結され、必要な長さで使用することができるようにされている。そして、例えば、最下のパーツ６２ａ以外のパーツ６２ｂ，６２ｃの下端部には、雌ネジ６３が形成され、最上のパーツ６２ｃ以外のパーツ６２ａ，６２ｂの上端には雄ネジ６４が形成され、両ネジ６３，６４が螺合されることにより、各パーツ６２ａ，６２ｂ，６２ｃが連結される。ただし、雌ネジ３１と雄ネジ２５に替え、各種の連結治具を使用することもできる。
【００５１】
一実施形態における支柱Ｘは、以上のように構成され、次に施工方法について図６を参照しながら説明する。まず図６（ａ）に示すように、杭１０の下端側を地中に打込む。次に図６（ｂ）に示すように、杭１０の上端部にシャフト２０の下端部を外嵌する。設置場所に合わせて、シャフト２０は最適となるおおよその位置まで下降し、シャフト２０の連結穴２２と杭１０の連結穴１１とを位置合わせし、ピン１によって連結する。
【００５２】
次に図６（ｃ）に示すように、腕金４０を固定した連結具３０をシャフト２０に取り付ける。連結具３０とシャフト２０とは、連結具３０の本体部３２に形成された雌ネジ３１と、シャフト２０の中間部に形成された雄ネジ２５とが螺合することにより、連結具３０の鉛直方向の位置を微妙に調整することができる。ただし、予め、シャフト２０に固定ナット２６（図２参照）を螺合し、連結具３０がこの固定ナット２６の上面に当接するようにし、あるいは、位置が調整された連結具３０に当接するように固定ナット２６を上昇させる。いずれにしても、連結具３０は固定ナット２６よりも下方へ移動せず、所定の位置を維持する。
【００５３】
また、このシャフト２０に取り付けられた連結具３０には、予め、腕金４０が固定され、あるいは、連結具３０をシャフト２０に取り付けた後に、腕金４０が固定される。腕金４０は、支柱Ｘの設置位置の状況により、中心の長穴４１，４１と連結具３０の固定穴３４，３４とが位置合わせされるだけでなく、片側の長穴４１，４１と連結具３０の固定穴３４，３４とを位置あわせし、締結具２によって固定される。このようにして、支柱Ｘの基本形Ａが完成する。
【００５４】
この基本形Ａには、図６（ｄ）に示すように、ステー６０が取り付けられる。ステー６０は、使用場所に応じ、任意の本数のパーツ６２ａ，６２ｂ，６２ｃが連結され、ステー６０の長さが調整される。そして、ステー６０の下端側が地中に打ち込まれ、上端の連結穴６１をシャフト２０の突片２８に形成された連結穴２７と連通するようにステー６０の上端側をシャフト２０の方へ傾倒し、両連結穴６１，２７にピン１を挿通し、ステー６０をシャフト２０に取り付ける。なお、ステー６０をシャフト２０に取り付けた後に、このシャフト２０を杭１０に取り付けてもよい。
【００５５】
そして、設置場所に合わせて任意の本数のステー６０がシャフト２０に取り付けられると、図６（ｅ）に示すように（同図では２本のステー６０を取り付けた場合を示すが、ステー６０の本数は限定するものではない。）、支柱Ｘの応用形Ｂが完成する。
【００５６】
また、杭１０に連結具３０を取り付けていないシャフト２０を取り付け、このシャフト２０に継足し用のシャフト２０を取り付け、そして、このシャフト２０に連結具３０を取り付けることにより、図６（ｆ）に示すような複数（同図では２本であるが、これに限定するものではない。）のシャフト２０，２０を連結した支柱Ｘの発展形Ｃとすることもできる。なお、継足し用のシャフト２０には、予め連結具３０を取り付けておいてもよい。
【００５７】
いずれにしても、下側のシャフト２０の軸部２３が上側のシャフト２０の筒状部２１に外嵌され、両連結穴２４，２２にピン１が挿通されることにより、両シャフト２０，２０が連結される。この支柱Ｘの発展形Ｃにおいても、ステー６０は、任意の本数だけ取り付けることができる。また、支柱Ｘの発展形Ｃにおいても使用状況に応じて、ステー６０を取り付けないようにしてもよいが、発展形Ｃは背が高くなるため、一般的にステー６０と取り付ける方が好ましい。
【００５８】
次に、このような支柱Ｘを実際に山林に設置する例について、図７を参照しながら説明する。
【００５９】
この支柱Ｘは、電線Ｑが直線状に固定されるように設置される。したがって、窪んだような地面に設置する支柱Ｘは、図７の左から２番目に示すように、複数のシャフト２０を連結した発展形Ｃが使用される。また、固い地盤に設置される場合は、図７の右から２番目に示すように、ステー６０を取り付けていない基本形Ａが使用される。その他、地盤の状態に合わせて、ステー６０が複数本取り付けられた応用形Ｂが使用される。
【００６０】
いずれにしても、各支柱Ｘの腕金４０に電線Ｑを覆っている導管Ｐが載せられ、この導管Ｐがクランパ５０によって固定されることにより、電線Ｑが支柱Ｘに架設される。電線Ｑは、図８に示すように、地面近くに架設されるため、支柱Ｘを設置するため、樹木を伐採する必要がない。また、もし、枝葉が伸びたとしても、人の背丈程度であるため、容易に伐採することができる。
【００６１】
次に、支柱Ｘを備えた架線保持ユニットの第１の参考例について図９を参照しながら説明する。
【００６２】
この支柱Ｘは、杭７１、桁部７２、腕金７３そしてクランパ（図示せず）を備えている。杭７１は、鉛直姿勢で下端側が地中に埋め込まれ、安定して立設されるように下端部に拡大した基礎部７１ａが設けられている。ただし、杭７１の下端部は、地質に応じて基礎部７１ａに替え、尖端状としてもよい。
【００６３】
このような杭７１は、２本１組で上端部に桁部７２の両端部が固定されている。杭７１と桁部７２とは、図示したように一体成形されていてもよいし、別体を溶接などによって一体化してもよい。
【００６４】
いずれにしても、杭７１には、電線Ｑをクランパによって固定するための腕金７３が水平方向に取り付けられている。腕金７３は、図示したように２本ずつ、あるいは３本以上各杭７１に取り付けられることにより、電線Ｑを所期の位置に固定することができるようにされている。したがって、使用状況に応じて、腕金７３は１本のみ杭７１に取り付けてもよい。また、各腕金７３は桁部７２に対して直交する方向に杭７１に取り付けられ、各杭７１に取り付けられた腕金７３，７３は、平行に対向している。そして、各腕金７３の両端部には、電線Ｑが外れ落ちないようにするための突起部７３ａ，７３ａが設けられている。
【００６５】
このような第１の参考例における架線保持ユニットは、桁部７２が電線Ｑを架設するルートに沿うように杭７１の基礎部７１ａが地中に埋設される。そして、腕金７３に導管Ｐがクランパによって固定され、この導管Ｐ内に電線Ｑが挿通される。
【００６６】
次に、支柱Ｘを備えた架線保持ユニットの第２の参考例について図１０を参照しながら説明する。
【００６７】
この支柱Ｘは、杭８１、桁部８２、腕金８３そしてクランパ（図示せず）を備えている。杭８１は、第１の参考例と同様、鉛直姿勢で下端側が地中に埋め込まれ、下端部に拡大した基礎部８１ａが設けられ、あるいは尖端状とされている。
【００６８】
このような杭８１は、例えば４本１組とされ、電線Ｑの架設方向に向けられる桁部８２が架け渡される。この桁部８２は、図示したように杭８１に溶接などによって固定したものとするほか、一実施形態のように一体成形したものとすることもできる。
【００６９】
そして、この桁部８２と直交する方向に、電線Ｑをクランパ（図示せず）によって固定するための腕金８３が各杭８１に架け渡される。この腕金８３は、架け渡された杭８１同士を保持するため、桁部８２を兼用することとなる。したがって、４本の杭８１が平面視で正方形に配置されるときは、各杭８１の間隔が同一となるため、桁部８２と腕金８３とは区別することなく兼用することができる。
【００７０】
また、桁部８２と腕金８３は、図示したように２層ずつ杭８１に掛け渡すほか、３層以上杭８１に架け渡してもよい。桁部８２と腕金８３とが多くなると、重量化すものの、腕金８３が多層であると、地面が起伏に富んでいても、電線Ｑを直線状に架設することができる。なお、杭８１は、高さの異なるものを多種類用意し、桁部８２と腕金８３とを１層ずつ架け渡してもよい。
【００７１】
このような第２の参考例における架線保持ユニットは、桁部８２が電線Ｑを架設するルートに沿うように杭８１の基礎部８１ａが地中に埋設される。そして、腕金８３に導管Ｐがクランパによって固定され、この導管Ｐ内に電線Ｑが挿通される。
【００７２】
次に、ブロックＹを備えた架線保持ユニットの第３の参考例について図１１を参照しながら説明する。
【００７３】
この架線保持ユニットは、接合面９１を有する半体９２に二分割され、この各接合面９１に電線Ｑを嵌め入れる溝部９３が形成されている。この溝部９３は、太い外径の導管Ｐを嵌め込むことができるように大きめに形成され、細い外径の導管Ｐを嵌め込むときは、この電線Ｑにアダプタ（図示せず）を外嵌し、導管Ｐが位置ずれしないようにされる。ただし、溝部９３は、大きさの異なるものを複数形成しておいてもよい。
【００７４】
また、半体９２の底部には、地面と接合する足部９４が形成され、この足部９４には、貫通穴９５が形成されている。そして、この貫通穴９５から地面に打込みピン９６が打ち込まれることによって、このブロックＹが地面に固定される。また、半体９２が重なり合った状態から離隔しないようにするためのバンドなどの固定具（図示せず）が備えられている。
【００７５】
すなわち、このブロックＹは、電線Ｑを架設するライン上に適宜間隔で配置され、半体９２の接合面９１が露出する状態で導管Ｐを溝部９３に嵌め込む。そして、接合面９１が密着するように半体９２を重ね合わせ、半体９２は、固定具によって分離しないようにされる。そして、足部９４に形成された貫通穴９５から地中に打込みピン９６が打ち込まれると、ブロックＹの設置が完了し、電線ＱがこのブロックＹに架設されて状態となる。
【００７６】
なお、本発明は、前記の実施形態に限定することなく、特許請求の範囲に記載した発明特定事項の範囲内において種々変更することができる。例えば、架線は、電線Ｑ以外に通信線であっても同様に実施することができる。また、この架線保持ユニットは、山林以外の平野でも実施することができる。
【図面の簡単な説明】
【００７７】
【図１】本発明に係る架線保持ユニットの概念を説明する説明図である。
【図２】本発明に係る架線保持ユニットの一実施形態を示す正面図である。
【図３】本発明に係る架線保持ユニットの一実施形態であって分解した状態を示す正面図である。
【図４】本発明に係る架線保持ユニットの一実施形態であって、シャフトの一例を示す斜視図である。
【図５】本発明に係る架線保持ユニットの一実施形態であって、連結具および腕金の一例を示す斜視図である。
【図６】本発明に係る架線保持ユニットの一実施形態であって、（ａ）は杭を打込んだ状態を示す正面図、（ｂ）は杭にシャフトを取り付ける状態の正面図、（ｃ）はシャフトに腕金を固定した連結具を取り付ける状態の正面図、（ｄ）はシャフトにステーを取り付ける状態の正面図、（ｅ）はシャフトにステーを取り付けた状態の正面図、（ｆ）はシャフトに継足し用のシャフトを取り付けた状態の正面図である。
【図７】本発明に係る架線保持ユニットの一実施形態であって、山林に設置した状態を示す正面図である。
【図８】本発明に係る架線保持ユニットの一実施形態であって、大きさを説明するための説明図である。
【図９】本発明に係る架線保持ユニットの第１の参考例を示す斜視図である。
【図１０】本発明に係る架線保持ユニットの第２の参考例を示す斜視図である。
【図１１】本発明に係る架線保持ユニットの第３の参考例を示す斜視図である。
【符号の説明】
【００７８】
１…ピン
２…締結具
１０…杭
１１…連結穴
２０…シャフト
２１…筒状部
２２…連結穴
２３…軸部
２４…連結穴
２５…雄ネジ
３０…連結具
３１…雌ネジ
３４…固定穴
４０…腕金
４１…長穴
５０…クランパ
６０…ステー
６２ａ，６２ｂ，６２ｃ…パーツ
７１…杭
７２…桁部
７３…腕金
８１…杭
８２…桁部
８３…腕金
９１…接合面
９２…半体
９３…溝部
Ｘ…支柱
Ｙ…ブロック
Ｑ…架線（電線）
【図１】
0004493558.tif 000002
【図２】
0004493558.tif 000003
【図３】
0004493558.tif 000004
【図４】
0004493558.tif 000005
【図５】
0004493558.tif 000006
【図６】
0004493558.tif 000007
【図７】
0004493558.tif 000008
【図８】
0004493558.tif 000009
【図９】
0004493558.tif 000010
【図１０】
0004493558.tif 000011
【図１１】
0004493558.tif 000012